(57)【要約】【課題】カバーの紛失を防止した搬送装置を提供すること。【解決手段】搬送装置２０は、媒体Ｓを搬送させる搬送部としての搬送ローラー対２１と、搬送ローラー対２１によって搬送される媒体Ｓを搬送方向に案内する案内面３１を有する媒体案内部２２と、案内面３１上に装着されるカバー３２と、取り外された状態のカバー３２を収納する収納部３３と、を備え、カバー３２の一端は、収納部３３に固定されている。【選択図】図２
2018034306.tif 000002
【特許請求の範囲】
【請求項１】
媒体を搬送させる搬送部と、
前記搬送部によって搬送される前記媒体を搬送方向に案内する案内面を有する媒体案内部と、
前記案内面上に装着されるカバーと、
取り外された状態の前記カバーを収納する収納部と、
を備え、
前記カバーの一端は、前記収納部に固定されていること、を特徴とする搬送装置。
【請求項２】
前記収納部は、前記案内面の上流端に沿って設けられ、
前記カバーの他端は、前記案内面を介して前記媒体案内部の下流側に着脱自在に係合されること、を特徴とする請求項１に記載の搬送装置。
【請求項３】
前記カバーは、撓曲性を有し前記案内面の表面形状に倣って変形すること、を特徴とする請求項１または請求項２に記載の搬送装置。
【請求項４】
前記収納部には、前記カバーを巻き取る巻取軸を備えた巻取部が設けられていること、を特徴とする請求項１から請求項３のいずれか一項に記載の搬送装置。
【請求項５】
前記巻取軸は、前記搬送方向と交差する方向に延在していること、を特徴とする請求項４に記載の搬送装置。
【請求項６】
請求項１から請求項５のいずれか一項に記載の搬送装置を備えていること、を特徴とする印刷装置。
【発明の詳細な説明】
【技術分野】
【０００１】
本発明は、搬送装置及び印刷装置に関する。
【背景技術】
【０００２】
従来から、媒体に文字や画像などを印刷する印刷装置には、媒体を搬送するための搬送装置が設けられていた。このような搬送装置には、媒体を好適に搬送させるための着脱可能なカバーを備えたものがある。例えば、特許文献１には、プラテンと媒体との摩擦抵抗を調整するプラテンカバー（カバー）を備えたインクジェット記録装置（搬送装置を備えた印刷装置）が開示されている。
【先行技術文献】
【特許文献】
【０００３】
【特許文献１】特開２０１０−２６０３４２号公報
【発明の概要】
【発明が解決しようとする課題】
【０００４】
このようなカバーは、特殊な媒体を扱う場合など、必要に応じて装着されるものである。特許文献１の搬送装置を備えた印刷装置は、取り外されたカバーが装置本体と分離する構成であるため、カバーを紛失する恐れがあった。
【課題を解決するための手段】
【０００５】
本発明は、上述の課題の少なくとも一部を解決するためになされたものであり、以下の形態又は適用例として実現することが可能である。
【０００６】
［適用例１］本適用例に係る搬送装置は、媒体を搬送させる搬送部と、前記搬送部によって搬送される前記媒体を搬送方向に案内する案内面を有する媒体案内部と、前記案内面上に装着されるカバーと、取り外された状態の前記カバーを収納する収納部と、を備え、前記カバーの一端は、前記収納部に固定されていること、を特徴とする。
【０００７】
本適用例によれば、搬送装置は、カバーを収納する収納部を備え、収納部にはカバーの一端が接続されている。これにより、案内面からカバーを取り外した場合であっても、カバーは、収納部を介して搬送装置と接続されているので、カバーの紛失が防止される。さらに、この状態でカバーを収納部に収納することができる。したがって、カバーの紛失を防止した搬送装置を提供することができる。
【０００８】
［適用例２］上記適用例に記載の搬送装置において、前記収納部は、前記案内面の上流端に沿って設けられ、前記カバーの他端は、前記案内面を介して前記媒体案内部の下流側に着脱自在に係合されること、が好ましい。
【０００９】
本適用例によれば、搬送装置の収納部は、案内面の上流端に沿って設けられている。カバーの一端は収納部に固定され、カバーの他端は案内面を介して媒体案内部の下流側に着脱自在に係合されている。これにより、ユーザーは、案内面上へのカバーの装着と取り外しとを容易に行うことができる。
【００１０】
［適用例３］上記適用例に記載の搬送装置において、前記カバーは、撓曲性を有し前記案内面の表面形状に倣って変形すること、が好ましい。
【００１１】
本適用例によれば、カバーは案内面の表面形状に倣って変形するので、カバーを案内面に密着させることができる。これにより、搬送装置は媒体を好適に搬送させることができる。
【００１２】
［適用例４］上記適用例に記載の搬送装置において、前記収納部には、前記カバーを巻き取る巻取軸を備えた巻取部が設けられていること、が好ましい。
【００１３】
本適用例によれば、収納部には、巻取軸によってカバーを巻き取る巻取部が設けられている。これにより、ユーザーは、取り外したカバーを容易に収納部に収納することができる。
【００１４】
［適用例５］上記適用例に記載の搬送装置において、前記巻取軸は、前記搬送方向と交差する方向に延在していること、が好ましい。
【００１５】
本適用例によれば、巻取軸は、媒体の搬送方向と交差する方向に延在している。これにより、ユーザーは、巻き取られた状態のカバーを巻取軸より搬送方向に沿って引き出すことが可能となるので、カバーを案内面に好適に装着することができる。
【００１６】
［適用例６］本適用例に係る印刷装置は、適用例１から適用例５のいずれか一項に記載の搬送装置を備えていること、を特徴とする。
【００１７】
本適用例によれば、印刷装置は、上記適用例の搬送装置を備えているので、カバーの紛失を防止した印刷装置を提供することができる。
【図面の簡単な説明】
【００１８】
【図１】実施形態に係る搬送装置及び搬送装置を備えた印刷装置の概略構成を示す斜視図。
【図２】搬送装置及び印刷装置の内部構成を示す断面図。
【図３】カバーが収納された状態の下流側案内部を示す平面図。
【図４】カバーが収納された状態の下流側案内部を示す断面図。
【図５】カバー装着途中の状態を示す平面図。
【図６】カバー装着途中の状態を示す断面図。
【図７】カバー装着時の状態を示す平面図。
【図８】カバー装着時の状態を示す断面図。
【図９】カバー収納途中の状態を示す平面図。
【図１０】カバー収納途中の状態を示す断面図。
【発明を実施するための形態】
【００１９】
以下、本発明の実施形態について、図面を参照して説明する。なお、以下の各図においては、各部材等を認識可能な程度の大きさにするため、各部材等の尺度を実際とは異ならせて示している。
また、図１から図１０では、説明の便宜上、互いに直交する三軸として、Ｘ軸、Ｙ軸及びＺ軸を図示しており、軸方向を図示した矢印の先端側を「＋側」、基端側を「−側」としている。Ｘ軸に平行な方向を「Ｘ軸方向」、Ｙ軸に平行な方向を「Ｙ軸方向」、Ｚ軸に平行な方向を「Ｚ軸方向」という。
【００２０】
（実施形態）
本実施形態で説明する印刷装置は、媒体を搬送させる搬送装置を備えている。印刷装置は、例えば、インクジェット式プリンターである。本実施形態では、比較的大型のメディア（記録媒体）を扱うラージフォーマットプリンター（ＬＦＰ）を印刷装置の構成例として説明する。
【００２１】
図１は、実施形態に係る搬送装置及び搬送装置を備えた印刷装置の概略構成を示す斜視図である。図２は、搬送装置及び印刷装置の内部構成を示す断面図である。図１及び図２を参照して、搬送装置２０及び印刷装置１０の構成について説明する。
図１及び図２に示すように、印刷装置１０は、媒体Ｓをロール・ツー・ロール方式で供給し回収するための媒体給送部１４及び媒体巻取部１５、長尺の媒体Ｓを搬送方向に搬送する搬送装置２０、媒体Ｓに印刷を行う印刷ユニット５０を含んで構成されている。搬送装置２０は、車輪１２が下端に取り付けられた一対の脚部１３に支持されている。印刷ユニット５０は、略直方体状の筐体部５１を有し、搬送装置２０上に設けられている。なお、本実施形態においては、重力方向に沿う上下方向をＺ軸とし＋Ｚ軸側を「上」とする。Ｚ軸方向と交差する印刷ユニット５０（筐体部５１）の長手方向（左右方向）をＸ軸とし＋Ｘ軸側を「左」とする。また、Ｚ軸方向及びＸ軸方向の双方と交差する方向（前後方向）をＹ軸とし＋Ｙ軸側を「前」とする。また、媒体Ｓの搬送方向に沿う位置関係を「上流」「下流」ともいう。
【００２２】
搬送装置２０はＸ軸方向に長い形状をなし、搬送装置２０の左右に設けられた一対の脚部１３の−Ｙ軸側には、ロール状に巻かれた長尺の媒体Ｓを搬送装置２０に送り出す媒体給送部１４が備えられている。また、一対の脚部１３の＋Ｙ軸側には、搬送装置２０から送り出された媒体Ｓをロール状に巻き取る媒体巻取部１５が備えられている。なお、本印刷装置１０では、媒体Ｓとして、例えば、６４インチ（Inch）程度の幅を有する塩化ビニル系フィルム等が使用される。
【００２３】
媒体給送部１４には、未使用の媒体Ｓが円筒状に巻き重ねられたロール体Ｒ１が保持されている。なお、媒体給送部１４には、媒体Ｓの幅（Ｘ軸方向の長さ）や巻き数の異なる複数サイズのロール体Ｒ１が交換可能に装填される。また、ロール体Ｒ１は何れのサイズであっても、−Ｘ軸側の端部に寄せた状態で媒体給送部１４に装填される。そして、ロール体Ｒ１の装填された媒体給送部１４を図２における反時計方向に回転させることで、ロール体Ｒ１から媒体Ｓが巻き解かれて搬送装置２０へ給送される。
【００２４】
媒体巻取部１５には、搬送装置２０から送り出された媒体Ｓが円筒状に巻き取られてロール体Ｒ２が形成される。媒体巻取部１５は、媒体Ｓを巻き取ってロール体を形成させるための芯材を挟む一対のホルダー１７を備えている。一方のホルダー１７ａには、芯材に回動力を供給する巻取モーター（図示せず）が備えられている。巻取モーターが駆動され芯材が回転することにより、媒体Ｓが芯材に巻き取られロール体Ｒ２を形成する。媒体巻取部１５には、搬送装置２０から自重によって垂れ下がる媒体Ｓの裏面側を押圧し、媒体巻取部１５に巻き取られる媒体Ｓに張力を付与するテンションローラー１６が備えられている。
【００２５】
＜搬送装置の構成＞
搬送装置２０は、媒体Ｓを搬送させる搬送部としての搬送ローラー対２１、搬送ローラー対２１によって搬送される媒体Ｓを搬送方向に案内する媒体案内部２２を含んでいる。
【００２６】
媒体案内部２２は、媒体Ｓの搬送経路において媒体Ｓを下方（−Ｚ軸側）から支持するものである。媒体案内部２２は、後述する印刷部５８と対向配置されたプラテン２４と、媒体給送部１４から給送された媒体Ｓをプラテン２４へ案内する上流側案内部２３と、媒体Ｓをプラテン２４から媒体巻取部１５へ案内する下流側案内部２５と、を有している。
【００２７】
搬送装置２０は、媒体Ｓを加熱する第１ヒーター（プレヒーター）２６と、第２ヒーター（プラテンヒーター）２７と、第３ヒーター（アフターヒーター）２８とを備えている。第１ヒーター２６は、上流側案内部２３に支持されている媒体Ｓを予熱する。第１ヒーター２６は、上流側案内部２３における媒体Ｓを支持する面とは反対側の面（−Ｚ軸側の面）側に配置されている。第２ヒーター２７は、媒体Ｓに印刷が行われる領域において媒体Ｓを加熱する。第２ヒーター２７は、プラテン２４における媒体Ｓを支持する面とは反対側の面（−Ｚ軸側の面）側に配置されている。第３ヒーター２８は、媒体Ｓを加熱することによりインクを媒体Ｓに速やかに乾燥定着させ、滲みやぼやけを防止して、画質を高める構成となっている。第３ヒーター２８は、下流側案内部２５における媒体Ｓを支持する面とは反対側の面（−Ｚ軸側の面）側に配置されている。
【００２８】
第１、第２及び第３ヒーター２６，２７，２８は、例えば、チューブヒーターであり、アルミテープ等を介して、上流側案内部２３、プラテン２４及び下流側案内部２５のそれぞれの裏面に貼付されている。そして、第１、第２及び第３ヒーター２６，２７，２８を駆動させることにより、熱伝導で媒体案内部２２における媒体Ｓを支持する面が加熱され、媒体Ｓの裏側（−Ｚ軸側）から媒体Ｓを加熱することができる。そして、例えば、第１ヒーター２６の加熱温度が４０℃に設定され、第２ヒーター２７の加熱温度が４０℃（目標温度）に設定される。また、第３ヒーター２８の加熱温度が第１ヒーター２６や第２ヒーター２７よりも高い５０℃に設定される。
【００２９】
第１ヒーター２６は、媒体Ｓを常温から目標温度（第２ヒーター２７における温度）に向けて徐々に昇温させることによって、インクの着弾時からの乾燥を速やかに促す構成となっている。また、第２ヒーター２７は、目標温度を維持した状態でインクの着弾を媒体Ｓに受けさせて、インクの着弾時からの乾燥を速やかに促す構成となっている。そして、第３ヒーター２８では、媒体Ｓを目標温度よりも高い温度まで昇温させ、媒体Ｓに着弾したインクのうち未だ乾燥していないものを速やかに乾燥させ、少なくとも媒体巻取部１５で巻き取る前に、着弾したインクを媒体Ｓに完全に乾燥定着させる構成となっている。
【００３０】
搬送部としての搬送ローラー対２１は、プラテン２４と上流側案内部２３との間に設けられ、媒体Ｓを挟持（ニップ）しつつ搬送方向（＋Ｙ軸方向）に搬送する。搬送ローラー対２１は、搬送経路の下側に配置されて回転駆動する搬送駆動ローラー２１ｂと、この搬送駆動ローラー２１ｂの回転に従動して回転する上側の搬送従動ローラー２１ａとを備える。筐体部５１内には、搬送駆動ローラー２１ｂに回転動力を出力する動力源としての搬送用モーター（図示せず）が設けられている。搬送用モーターが駆動されて搬送駆動ローラー２１ｂが回転駆動することで、搬送従動ローラー２１ａと搬送駆動ローラー２１ｂとの間に挟持された媒体Ｓが搬送方向（＋Ｙ軸方向）へ搬送される。
【００３１】
＜印刷ユニットの構成＞
印刷ユニット５０は、搬送装置２０上を搬送される媒体Ｓに画像や文字などを印刷するものである。筐体部５１の−Ｘ軸方向の上部には、操作パネル６２が設けられている。操作パネル６２は、印刷条件設定画面等が表示される表示部６４と、印刷条件等の入力及び各種指示を与える際に操作される操作部６３とを備えている。筐体部５１の−Ｘ軸方向の下部には、インクを収容可能な図示しないインク収容容器（インクカートリッジ）を装着可能なインク装着部６５が設けられている。インク装着部６５には、インクの種類や色に対応して、複数インクカートリッジが装着される。さらに、筐体部５１内には、印刷装置１０の各部に備えられている装置の動作を制御する制御部６６が設けられている。
【００３２】
筐体部５１の内部には、印刷部５８が備えられている。筐体部５１の背面側（−Ｙ軸側）には、上流側案内部２３の上側となる位置に、印刷部５８へ媒体Ｓを供給するための供給口１８が形成されている。また、筐体部５１の前面側（＋Ｙ軸側）には、下流側案内部２５の上側となる位置に、印刷部５８で印刷された媒体Ｓを排出するための排出口１９が形成されている。
【００３３】
印刷部５８は、プラテン２４の配置位置に対して上方（＋Ｚ軸側）に配置されている。印刷部５８は、媒体給送部１４から給送され上流側案内部２３及びプラテン２４に沿って搬送される媒体Ｓに対してインクを吐出する吐出ヘッド５２、吐出ヘッド５２が搭載されるキャリッジ５５、キャリッジ５５を搬送方向と交差する主走査方向（Ｘ軸方向）に移動させるヘッド移動部５９などを有している。
【００３４】
ヘッド移動部５９は、主走査方向にキャリッジ５５（吐出ヘッド５２）を移動させる。キャリッジ５５は、Ｘ軸方向に沿って配置されたガイドレール５６，５７に支持され、ヘッド移動部５９によって±Ｘ軸方向に往復移動可能に構成されている。ヘッド移動部５９の機構としては、例えば、ボールねじとボールナットとを組み合わせた機構や、リニアガイド機構などを採用することができる。さらに、ヘッド移動部５９には、キャリッジ５５をＸ軸方向に沿って移動させるための動力源として、モーター（図示せず）が設けられている。制御部６６の制御によりモーターが駆動されると、吐出ヘッド５２は、キャリッジ５５と共にＸ軸方向に沿って往復移動する。
【００３５】
ガイドレール５６，５７のＸ軸方向における両端部には、吐出ヘッド５２と媒体Ｓとの離間距離を調整するために吐出ヘッド５２の高さ（Ｚ軸方向における位置）を変化させる調整機構５３が設けられている。また、キャリッジ５５の下部には、吐出ヘッド５２よりも搬送方向の下流側（＋Ｙ軸側）となる位置に、媒体Ｓの紙幅（Ｘ軸方向の幅）を検知する反射型センサー５４が保持されている。
【００３６】
反射型センサー５４は、図示しない光源部及び受光部を備えた光学式センサーであり、光源部から下方に向けて出射した光の反射光を受光部で受光し、受光部で受けた反射光の強さに応じた検出値（電圧値）を制御部６６に出力する。また、キャリッジ５５を主走査方向へ移動させながら反射型センサー５４で検出を行い、制御部６６が検出値に基づいて反射対象の変化する位置、すなわち媒体ＳのＸ軸方向における両端部の位置を検知することで、媒体Ｓの幅（Ｘ軸方向における長さ）を算出する。そして、検出された媒体Ｓの幅に応じて、吐出ヘッド５２がインク収容容器から供給されるインクを搬送経路に沿って搬送される媒体Ｓに対して噴射することで、印刷が行われる。印刷後の媒体Ｓは、下流側案内部２５に沿って斜め下方に案内され、媒体巻取部１５によって巻き取られる。
【００３７】
なお、本実施形態では、長尺の媒体Ｓをロール・ツー・ロール方式で供給する印刷装置１０の構成を示したが、これに限定するものではない。例えば、印刷装置は、予め所定の長さにカットされた単票紙を枚葉式で供給する構成であってもよし、印刷後の媒体Ｓを媒体巻取部１５に替えて取り付けられる不図示の排出バスケットに収容する構成であってもよい。
また、本実施形態では、吐出ヘッド５２として、往復移動するキャリッジ５５に搭載され媒体Ｓの幅方向（±Ｘ軸方向）に移動しながらインクを吐出するシリアルヘッド式を例示したが、媒体Ｓの幅方向（Ｘ軸方向）に延在し固定して配列されたラインヘッド式であってもよい。
【００３８】
＜カバー及び収納部＞    
図３は、カバーが収納された状態の下流側案内部を示す平面図であり、図４は、カバーが収納された状態の下流側案内部を示す断面図である。図５は、カバー装着途中の状態を示す平面図であり、図６は、カバー装着途中の状態を示す断面図である。図７は、カバー装着時の状態を示す平面図であり、図８は、カバー装着時の状態を示す断面図である。図９は、カバー収納途中の状態を示す平面図であり、図１０は、カバー収納途中の状態を示す断面図である。
図３から図１０を参照して、下流側案内部２５に備えられているカバー３２及び収納部３３について説明する。
【００３９】
まず、カバー３２及び収納部３３の構成、カバー３２が収納部３３に収納された状態について説明する。
図３及び図４に示すように、下流側案内部２５は、媒体Ｓを搬送方向に案内する案内面３１を有している。下流側案内部２５には、案内面３１上に装着されるカバー３２と、取り外された状態のカバー３２を収納する収納部３３とが備えられている。
【００４０】
カバー３２は、Ｘ軸方向の寸法が搬送装置２０によって搬送可能な媒体Ｓの最大の紙幅（Ｘ軸方向の幅）と同等かやや大きく、Ｙ軸方向の寸法が案内面３１の搬送方向の長さよりも長い長方形をなし、撓曲性を有した網状の樹脂で形成されている。本実施形態の搬送装置２０は、カバー３２として、案内面３１上を搬送される媒体Ｓと案内面３１とが擦れ合うことで生じる摩擦帯電により、媒体Ｓが案内面３１に貼り付くことを防止する静電気貼り付き防止用カバーを備えている。静電気貼り付き防止用カバーとしては、例えば、大日本プラスチック株式会社製のトリカルネット（登録商標）（型番：トリカルネットＮ−９、素材：高密度ポリエチレン）などが知られている。
【００４１】
収納部３３は、案内面３１の上流端に沿って設けられている。収納部３３は、カバー３２のＸ軸方向の幅より長い長方形をなし、下流側案内部２５に凹状に埋設されている。収納部３３には、カバー３２をロール状に巻き取る巻取軸３４を備えた巻取部３５が設けられている。
【００４２】
巻取軸３４は、凹状に形成された収納部３３のＸ軸方向の両内壁に回動可能に支持されている。巻取軸３４には、図示しない弾性部材が設けられており、巻取軸３４は、図４に示す−Ｘ軸方向からの断面視において弾性部材によって時計回りに付勢されている。
【００４３】
カバー３２のＸ軸方向に沿う一端は、収納部３３に固定されている。カバー３２の他端には、カバー３２の他端を所定位置に係合させる係合部３６が設けられている。係合部３６としては、例えば、所定位置に設けられた金属製の被係合部材３７ａ，３７ｂに着脱可能なマグネットで構成させることができる。本実施形態では、カバー３２の一端は、巻取軸３４に固定されている。
【００４４】
カバー３２を使用しない場合、カバー３２は、弾性部材によって巻取軸３４に巻き取られた状態で収納部３３に収納される。この時、係合部３６は、収納部３３内の被係合部材３７ａに係合される。これにより、案内面３１からカバー３２を取り外した場合（カバー３２を使用しない場合）であっても、カバー３２と搬送装置２０とが接続された状態で収納部３３に収納されるので、カバー３２の紛失が防止される。なお、係合部３６は、所定位置に設けられたリングなどの被係合部材に引掛けて使うフックなどで構成されていてもよい。
【００４５】
カバー３２の装着について説明する。
図５及び図６に示すように、巻取軸３４は、媒体Ｓの搬送方向と交差する方向（Ｘ軸方向）に延在している。案内面３１にカバー３２を装着する場合、ユーザーは、被係合部材３７ａに係合されている係合部３６の係合を解除し、係合部３６を把持してカバー３２を案内面３１に沿っての前方（＋Ｙ軸方向）斜め下（−Ｚ軸方向）に引き下げる。これにより、巻取軸３４が−Ｘ軸方向からの側面視にて反時計回りに回転し、巻取軸３４に巻き取られていたカバー３２が引き出される。巻取軸３４は、Ｘ軸方向に延在しているので、ユーザーは、カバー３２を案内面３１に沿って容易に引き出すことができる。
【００４６】
図７及び図８に示すように、ユーザーは、カバー３２の他端を案内面３１の先端より長く引き出す。カバー３２の他端は、案内面３１を介して下流側案内部２５の下流側に着脱自在に係合される。詳しくは、ユーザーは、引き出したカバー３２の他端を、案内面３１を介して下流側案内部２５の先端から案内面３１と反対側の裏面に回り込ませ、裏面に設けられている被係合部材３７ｂに係合部３６を係合する。この時、カバー３２には、巻取軸３４に設けられた弾性部材の付勢力によって張力が付与される。
【００４７】
カバー３２は、撓曲性を有しているので、案内面３１の表面形状に倣って変形する。カバー３２は、カバー３２に付与される張力と撓曲性とによって、案内面３１上に密着した状態で装着される。これにより、媒体Ｓが搬送方向に好適に搬送される。また、係合部３６は、被係合部材３７ｂに着脱可能に係合されるので、カバー３２の装着と取り外しとを容易に行うことができる。なお、本実施形態では、被係合部材３７ｂが下流側案内部２５の裏面に設けられた構成を示したが、被係合部材は、媒体Ｓの搬送を妨げない位置に設けられた構成であればよい。また、下流側案内部２５全体が被係合部材となる金属材料で構成されていてもよい。
【００４８】
カバー３２の取り外しについて説明する。
図９及び図１０に示すように、カバー３２を取り外しする場合、ユーザーは、被係合部材３７ｂに係合されている係合部３６の係合を解除する。カバー３２は、巻取軸３４に設けられた弾性部材の付勢力によって、巻取軸３４が−Ｘ軸方向からの側面視にて時計回りに回転する。これにより、カバー３２が巻取軸３４に巻き取られ収納部３３に収納される。この時、係合部３６は、カバー３２と共に収納部３３に移動し収納部３３内の被係合部材３７ａと係合する。ユーザーは、媒体Ｓの搬送方向と交差する方向に設けられた巻取軸３４と、巻取軸３４に設けられた弾性部材の付勢力とにより、カバー３２を容易に取り外し収納部３３に収納することができる。
【００４９】
なお、本実施形態では、巻取軸３４に設けられた弾性部材の付勢力により、カバー３２が巻取軸３４に巻き取られる構成を示したが、巻取軸３４を正回転及び逆回転させる動力源としてのモーターにより、カバー３２が巻取軸３４から引き出され、巻取軸３４に巻き取られる構成であってもよい。
また、本実施形態では、カバー３２として静電気貼り付き防止用カバーを例示したが、これに限定するものではない。カバー３２は、インクが媒体Ｓの裏に浸透し案内面３１に付着することを防止する不織布などのインク吸収カバーであってもよい。
また、本実施形態では、カバー３２及び収納部３３が下流側案内部２５に設けられた構成を示したが、これに限定するものではない。カバー及び収納部が上流側案内部２３やプラテン２４に設けられた構成であってもよい。
【００５０】
以上述べたように、本実施形態に係る搬送装置２０及び印刷装置１０によれば、以下の効果を得ることができる。
本実施形態の搬送装置２０は、下流側案内部２５に媒体Ｓを搬送方向に案内する案内面３１上に装着されるカバー３２と、取り外された状態のカバー３２を収納する収納部３３とを備えている。カバー３２の一端は、収納部３３に固定されている。これにより、案内面３１からカバー３２を取り外した場合であっても、カバー３２は、収納部３３を介して搬送装置２０と接続された状態で収納部３３に収納されるので、カバー３２の紛失を防止することができる。したがって、カバー３２の紛失を防止した搬送装置２０を提供することができる。
【００５１】
収納部３３は、案内面３１の上流端に沿って設けられている。カバー３２の一端は収納部３３に固定され、カバー３２の他端は案内面３１を介して下流側案内部２５の下流側に着脱自在に係合されるので、ユーザーは、案内面３１上へのカバー３２の装着と取り外しとを容易に行うことができる。
カバー３２は、撓曲性を有しているので、案内面３１の表面形状に倣って変形する。これにより、案内面３１にカバー３２を装着した時、カバー３２は案内面３１に密着するので、搬送装置２０は、媒体Ｓを好適に搬送させることができる。
収納部３３には、カバー３２をロール状に巻き取る巻取軸３４を備えた巻取部３５が設けられている。また、巻取軸３４は、媒体Ｓの搬送方向と交差する方向に延在している。これにより、ユーザーは、収納部３３に収納されていたカバー３２を収納部３３から容易に引き出したり、案内面３１に装着されていたカバー３２を収納部３３へ容易に収納したりすることができる。
【００５２】
本実施形態の印刷装置１０は、カバー３２の紛失を防止した搬送装置２０を含んでいる。したがって、カバー３２の紛失を防止した印刷装置１０を提供することができる。
【符号の説明】
【００５３】
１０…印刷装置、１４…媒体給送部、１５…媒体巻取部、２０…搬送装置、２１…搬送ローラー対、２２…媒体案内部、２３…上流側案内部、２４…プラテン、２５…下流側案内部、３１…案内面、３２…カバー、３３…収納部、３４…巻取軸、３５…巻取部、３６…係合部、３７ａ，３７ｂ…被係合部材、５０…印刷ユニット、５１…筐体部、５２…吐出ヘッド、５５…キャリッジ、５６，５７…ガイドレール、５８…印刷部、５９…ヘッド移動部、６６…制御部、Ｓ…媒体。
【図１】
2018034306.tif 000003
【図２】
2018034306.tif 000004
【図３】
2018034306.tif 000005
【図４】
2018034306.tif 000006
【図５】
2018034306.tif 000007
【図６】
2018034306.tif 000008
【図７】
2018034306.tif 000009
【図８】
2018034306.tif 000010
【図９】
2018034306.tif 000011
【図１０】
2018034306.tif 000012